(57)【要約】【課題】            最後の釘までワイヤが釘打機のワイヤホルダ部の係止部分に係止され、姿勢保持されて供給されるワイヤ連結釘を提供する。【解決手段】        複数の釘が所定間隔をあけて並列に配列されてワイヤに連結されてなるワイヤ連結釘において、  ワイヤの最終端部分は、最後に位置する釘より釘打機で姿勢保持が可能な長さ長く延出するワイヤ残り部分を存在させてなることを特徴とする。【選択図】          図１
0003123038.tif 000002
【実用新案登録請求の範囲】
【請求項１】
複数の釘が所定間隔をあけて並列に配列されてワイヤに連結されてなるワイヤ連結釘において、
ワイヤの最終端部分は、最後に位置する釘より釘打機で姿勢保持が可能な長さ長く延出するワイヤ残り部分を存在させてなることを特徴とするワイヤ連結釘。
【請求項２】
前記ワイヤの残り部分の長さは、最後に位置する釘より３ｍｍ〜６ｍｍの範囲であることを特徴とする請求項１記載のワイヤ連結釘。
【考案の詳細な説明】
【技術分野】
【０００１】
この考案は、複数の釘が所定間隔で並列に配列されてワイヤに連結されてなるワイヤ連結釘に関する。
【背景技術】
【０００２】
従来、釘打機に装填されて連続しての釘打ちを可能としたものとしてワイヤ連結釘がある。このワイヤ連結釘は、図５に示すように複数の釘２が所定間隔で並列に配列されて平行する２本のワイヤ３、３に連結されて構成されている（例えば、特許文献１、２および３参照）。このようなワイヤ連結釘は、最後に位置する釘２ｅより後方に釘２は連結されないので、最後に位置する釘２ｅより後方にワイヤ３は不要となる。そのため従来のワイヤ連結釘は、図５に示すようにワイヤ３の最後に位置する釘２ｅより後方に延出するワイヤ残り部分３ｈは、少ししか存在しない。例えば、ワイヤ残り部分３ｈの長さｈは、２．５ｍｍ以下であった。
【特許文献１】特公昭３９−２５８号公報
【特許文献２】実開昭５７−１９０７号公報
【特許文献３】特許第３５１１９１１号公報
【考案の開示】
【考案が解決しようとする課題】
【０００３】
図６は、釘打機の要部を開放して示す斜視図である。釘打機１０の供給路１１には、ワイヤ３を保持して、ワイヤ３に連結された釘２の姿勢を保持するワイヤホルダ部１２が設けられている。このワイヤホルダ部１２は、ワイヤ３の係止部材１３が存在し、この係止部材１３でワイヤ３を係止して、ワイヤ３に連結された釘２の姿勢を正しく保持しつつノーズ部１４に正しく供給するものである。
即ち、ワイヤ連結釘は、図２に示すようにコイル状に巻回されたものが釘打機に装填されており、これが先端側の釘２から供給路１１をガイドされて供給されてくる。この時に、ノーズ部１４に到達する前に設けたワイヤホルダ部１２の係止部材１３でワイヤ３を係止して、ワイヤ３に連結された釘２を正しい姿勢に保持してノーズ部１４に供給するものである。これにより釘２はノーズ部１４に正しく装填されるので、故障もなく正しく正確に釘打ちできるものである。
【０００４】
しかるに、従来のワイヤ連結釘は、最後に位置する釘２ｅより後方に延出するワイヤ残り部分３ｈの長さｈが少ないために、最後の数本以降の釘２になると、ワイヤ３のワイヤホルダ部１２の係止部材１３での規制が緩くなり、ワイヤ３に連結された釘２の姿勢保持が不確実になり、最後の数本の釘２はノーズ部１４に正しく供給されない事態が発生する。
また、最後の残り１本の釘２ｅとなると、残り部分のワイヤ３ｈが少ないためワイヤホルダ部１２の係止部材１３が係止できず、図６に示すように釘２ｅがノーズ部１４に傾斜して供給されたり、あるいはノーズ部１４の正しい位置に保持できず落下してしまうことも生ずる。
また、落ちてしまった釘を釘打機で釘打ちしてしまうと、釘頭部付近から曲がって打ち込むこともあり、外す手間および打ち直しの手間が発生し、作業性が悪くなってしまう。
さらに、自動機に組み込んだ釘打機で前記のような事態が発生すると、著しく回復が困難となるために、従来は釘２の最後まで使用せずに残り数本は残し廃棄していた。
【０００５】
この考案は、このような課題を解決せんと提案されたものであり、その目的は、最後の釘までワイヤが釘打機のワイヤホルダ部の係止部分に係止され、姿勢保持されて供給されるワイヤ連結釘の提供にある。
【課題を解決するための手段】
【０００６】
前記課題を解決するため、この考案のワイヤ連結釘は、複数の釘が所定間隔をあけて並列に配列されてワイヤに連結されてなるワイヤ連結釘において、
ワイヤの最終端部分は、最後に位置する釘より釘打機で姿勢保持が可能な長さ長く延出するワイヤ残り部分を存在させてなることを特徴とする。
【０００７】
これにより最後の釘より後方にもワイヤ残り部分が長く延出しているので、残り数本の釘ばかりか、最後の残り１本の釘においても、釘打機のワイヤホルダ部の係止部材に長く延出している残りワイヤ部分を係止して正しい姿勢を保持して供給することが可能となる。従って、釘は最後の釘まで常に正しい姿勢で供給され、曲がって打ち込まれたり、外す手間および打ち直しの手間も発生せず、また、最後の釘まで使用できる。
【０００８】
また、この考案のワイヤ連結釘の前記ワイヤ残り部分の長さは、最後に位置する釘より３ｍｍ〜６ｍｍの範囲であることを特徴とする。
ワイヤ残り部分が３ｍｍ未満では、最後の釘まで釘打機のワイヤホルダ部の係止部材でワイヤを係止することが不確実となるので、３ｍｍ以上が好ましい。かといって６ｍｍ以上に長くても効果は変わらず、それ以上に長く残すことは不経済となるので６ｍｍ以下が好ましい。従って、最後の釘より延出するワイヤの残り部分の長さは、３ｍｍ〜６ｍｍの範囲が好ましく、３．５ｍｍ〜４．５ｍｍの範囲が特に好ましい。
【０００９】
なお、この考案ではワイヤ連結釘として釘をワイヤで連結したものとして説明しているが、この考案はワイヤだけでなく他の線条体でも採用可能であるので、この考案ではこれも包含する用語である。従って、釘がワイヤで連結されているものだけでなく、例えば、合成樹脂の線条体で連結されている場合も包含する。
【考案の効果】
【００１０】
この考案のワイヤ連結釘によれば、次のような効果を奏する。
（１）この考案のワイヤの最終端部分は、最後に位置する釘より釘打機で姿勢保持が可能な長さ長く延出するワイヤ残り部分を存在させてなるので、残り数本の釘はもちろん、最後の釘においても、釘打機のワイヤホルダ部の係止部材に、長く延出している残りワイヤ部分を係止して正しい姿勢を保持して供給することができる。
【００１１】
（２）釘は最後の釘まで常に正しい姿勢で供給され、曲がって打ち込まれることもない。従って、曲がって打ち込まれた釘を外したり、打ち直したりする手間も発生しない。また、曲がって打ち込まれることにより被打込材を傷付けることもない。
（３）最後の釘のワイヤが釘打機のワイヤホルダ部の係止部材に係止されず、釘がノーズ部より落ちてしまうことも発生しない。従って、落ちてしまった釘を打ち込む事態も発生しないし、釘打機を損傷させることもない。
（４）この考案のワイヤ連結釘は、最後の釘まで有効に打ち込み使用でき、従来のように数本を残して廃棄することもない。
【考案を実施するための最良の形態】
【００１２】
以下、この考案の実施の形態を図面と共に詳細に説明する。図１は、この考案の実施の形態を示すワイヤ連結釘の最後部分の要部正面図、図２は、コイル状に巻回されたワイヤ連結釘を示す斜視図、図３は、釘打機の要部を開放して示す釘が残り数本となった状態の斜視図、図４は、釘打機の要部を開放して示す釘が残り１本となった状態の斜視図であり、図５および図６に示した従来例と同一構成要素は、同一符号を付して説明する。
【００１３】
このワイヤ連結釘１は、図１に示すように複数の釘２が所定間隔で並列に配列されて平行する２本のワイヤ３、３に連結されて構成されている。釘２のワイヤ３への連結は、従来公知の手段を採用し得る。例えば、溶接、接着剤での接着、巻き付け、等の手段を例示することができるが、本例では溶接して連結した場合を示している。
【００１４】
このようなワイヤ連結釘１において、ワイヤ３は、最後に位置する釘２ｅより後方にワイヤ残り部分３Ｈの長さＨを長く延出して存在させている。このワイヤ残り部分３Ｈの長さＨは、釘打機１０で最後の釘２ｅまで姿勢保持が可能な長さである。最後の釘２ｅまで姿勢保持が可能な長さとは、図４に示すように最後の釘２ｅが釘打機１０のノーズ部１４に供給されても、ワイヤ残り部分３Ｈがワイヤホルダ部１２の係止部材１３の位置に届く長さであり、これにより最後の釘２ｅもノーズ部１４に供給されてもワイヤ残り部分３Ｈがワイヤホルダ部１２の係止部材１３に係止されて姿勢保持および位置保持がなされる。
【００１５】
このワイヤ３のワイヤ残り部分３Ｈの長さＨは、３ｍｍ以上が必要である。３ｍｍ未満では、最後の釘２ｅがノーズ部１４に供給されたときに、短くてワイヤホルダ部１２の係止部材１３に位置（届かず）できず、姿勢保持、位置保持が確保できなくなるからである。しかし、ワイヤ３のワイヤ残り部分３Ｈの長さＨが、６ｍｍを超えても効果に変化がないので、それ以上の長さは経済的に好ましくない。従って、ワイヤ３のワイヤ残り部分３Ｈの長さＨは、３ｍｍ〜６ｍｍの範囲が好ましく、３．５ｍｍ〜４．５ｍｍの範囲が特に好ましい。
【００１６】
しかして、このワイヤ連結釘１は、図２に示すようにコイル状に巻回されて釘打機１０に装填される。この装填されたワイヤ連結釘１は、先端側の釘２から供給路１１をガイドされてくる。この時、釘２はワイヤ３に連結されているので、釘２はワイヤホルダ部１２の係止部材１３でワイヤ３を係止して供給することによって正しい姿勢に保持されてノーズ部１４に供給され、ノーズ部１４でも位置の保持がなされる。即ち、図３に示すようにワイヤ３に連結された釘２は、ノーズ部１４に到達する前に設けたワイヤホルダ部１２の係止部材１３でワイヤ３を係止して正しい姿勢を維持（保持）してノーズ部１４に供給される。
【００１７】
図３は釘打機の要部を開放して示す釘が残り数本となった状態の斜視図である。この図３には釘打機１０のワイヤホルダ部１２の係止部材１３でワイヤ３が係止されて釘２が正しい姿勢を保持してノーズ部１４に供給される様子がよくあらわれている。そして、この図３から、この考案のワイヤ連結釘１によれば、釘２が残り数本（図３では３本）になってもワイヤ３のワイヤ残り部分３Ｈが長くなっていることによりワイヤホルダ部１２で確実に姿勢保持がなされることがよく理解できる。
また、図４は釘打機の要部を開放して示す釘が残り１本となった状態の斜視図であり、この図４から釘２が残り１本になってもワイヤ３のワイヤ残り部分３Ｈが長く存在するために、ワイヤホルダ部１２の係止部材１３で係止でき、ノーズ部１４に正しい姿勢を保持して供給されるし、ノーズ部１４でも位置保持が確保されることがよく理解できる。
【００１８】
なお、前記実施の形態は、この考案を制限するものではなく、この考案は、要旨を逸脱しない範囲において種々の変形が許容される。
【図面の簡単な説明】
【００１９】
【図１】この考案の実施の形態を示すワイヤ連結釘の最後部分の要部正面図である。
【図２】コイル状に巻回されたワイヤ連結釘を示す斜視図である。
【図３】釘打機の要部を開放して示す釘が残り数本となった状態の斜視図である。
【図４】釘打機の要部を開放して示す釘が残り１本となった状態の斜視図である。
【図５】ワイヤ連結釘の従来例を示す要部正面図である。
【図６】釘打機を開放して示す釘が残り１本となった状態の従来例の斜視図である。
【符号の説明】
【００２０】
１  ワイヤ連結釘
２  釘
２ｅ  最後の釘
３  ワイヤ
３Ｈ  ワイヤ残り部分
【図１】
0003123038.tif 000003
【図２】
0003123038.tif 000004
【図３】
0003123038.tif 000005
【図４】
0003123038.tif 000006
【図５】
0003123038.tif 000007
【図６】
0003123038.tif 000008